(57)【特許請求の範囲】
【請求項１】
開口部を開閉するシャッターカーテンが巻装する巻き取りドラムを、シャッターケースに収容してなる建築用シャッター装置において、前記シャッターケースを、躯体側に固定され、巻き取りドラムを軸承する左右一対の支持ブラケットと、前記一対の支持ブラケット前方部位の上部および下部の対向間に支架される上下一対の枠体と、これら枠体を介して配設される前面板および上下面板とを備えて構成するにあたり、少なくとも前面板と下面板とを、押し出し型材で形成される左右方向に長い長板材で構成し、前記長板材の長尺方向に沿う一方の縁部に、裏面側に折曲する折れ片を介して他方の縁部側に延出する先端側係止片を備えて、上枠体に形成される上方を向く突片に上側から外嵌して係止する先端側係止凹部と、前記折れ片から前記先端側係止片とは反対の方向に延出して、下枠体に形成される嵌合凹部に内嵌する延出片とが形成される一方、長板材の長尺方向に沿う他方の縁部に、長板材の裏面と所定間隙を存して形成される基端側係止片を備えて、下枠体に形成された受け片に上側から外嵌して係止する基端側係止凹部が形成されていることを特徴とする建築用シャッター装置。
【請求項２】
基端側係止凹部は、長板材の一方の縁部に形成される延出片に上側から外嵌して係止可能に形成されるものとし、面板は、複数の長板材を板幅方向に連結して構成されている請求項１に記載の建築用シャッター装置。
【請求項３】
延出片は、長板材の表面側に折り返される折り返し片が一体形成されたものとし、下枠体の嵌合凹部の開口端には、折り返し片に係止可能な係止受け片が形成され、長板材は、折り返し片と係止受け片との係止部を揺動支点として下枠体に対して下方揺動自在に構成されている請求項１または２に記載の建築用シャッター装置。
【請求項４】
シャッターケースの長尺方向少なくとも一箇所には、上下枠体を連結して開口部上方に配されるまぐさ部材に支持させる第一ジョイント部材が設けられている請求項１乃至３の何れか一項に記載の建築用シャッター装置。
【請求項５】
シャッターケースの長尺方向少なくとも一箇所には、上枠体を躯体側に支持させる第二ジョイント部材が設けられている請求項１乃至４の何れか一項に記載の建築用シャッター装置。
【請求項６】
シャッターケースの長尺方向少なくとも一箇所には、下枠体を前面板に支持させる第三ジョイント部材が設けられている請求項１乃至５の何れか一項に記載の建築用シャッター装置。
【請求項７】
下面板は、下枠体に連結する長板材の一部を切り欠いた点検口が形成され、該点検口は、下枠体との連結部を支点として下方揺動自在に構成されている請求項３乃至６の何れか一項に記載の建築用シャッター装置。
【発明の詳細な説明】
【技術分野】
【０００１】
本発明は、建築物の出入り口等の開口部に建付けられる建築用シャッター装置の技術分野に属するものである。
【背景技術】
【０００２】
一般に、この種建築用シャッター装置のなかには、開口部を開閉するシャッターカーテンが巻き取られる巻き取りドラムを、開口部上方の躯体に設けたシャッターケースに収容する構成としたものがある。前記シャッターケースは、巻き取りドラムを回転自在に軸承する左右一対の支持ブラケットの対向間に、上面板、前面板、下面板を取り付けることにより構成されるが、従来、前記各面板は、平板状の板材を適宜寸法に切断したものを用い、これら面板と支持ブラケットとを螺子止め等の一体化手段を用いて構成している。このため、螺子が外部に露出して意匠性に劣るうえ、設置作業が煩雑になるばかりでなく、開口部の間口が広く、左右方向に長いシャッターケースを構成する場合では、左右方向に複数の板材を連結して構成しなければならないため、連結部の継ぎ目が露出して一層意匠性が損なわれるうえ、左右方向中間部に撓みが生じて部材同志のあいだに隙間が形成されてしまう等の問題があった。
【０００３】
この改善策として、支持ブラケットの対向間に補強体（上下枠体）を設け、押し出し型成形された長板材を、左右方向に複数連結して面板を構成し、これら連結された長板材の長手方向端部を、補強体に設けた固定溝に挿入されて取り付ける構成としたものが提唱されており、これによって、長板材の長尺方向の長さを変えるとともに連結する長板材の枚数を変えることにより、大きさの異なるシャッターケースに対応することができる。
【特許文献１】実公平４−４４５９号公報
【発明の開示】
【発明が解決しようとする課題】
【０００４】
ところが、前記従来のものにおいて、面板同士を連結するための突片は、面板とは板厚方向に変位して形成されているため面板に対して段差状に形成されているが、各長板材は、段差状になった連結部位を、上下枠体に形成される固定溝に挿入して固定する構成となっている。そして、連結された長板材を固定溝に挿入取り付けする際に、ゴム材を嵌め込む構成とすることにより、長板材の固定溝内における固定を確実にして、ガタつきを防止するようにしている。このため、前記従来のものは、部品点数が増加するばかりでなく、設置工程が難しいうえ、煩雑になるという問題がある。さらには、長板材の端部を固定溝に挿し込んで取り付ける構成であるが故に、挿し込み部に水が浸入し易く雨仕舞いに劣るうえ、ゴム材（シール材）の劣化に伴う耐久性の低下という問題もあり、これらに本発明の解決すべき課題がある。
【課題を解決するための手段】
【０００５】
本発明は、上記の如き実情に鑑みこれらの課題を解決することを目的として創作されたものであって、請求項１の発明は、開口部を開閉するシャッターカーテンが巻装する巻き取りドラムを、シャッターケースに収容してなる建築用シャッター装置において、前記シャッターケースを、躯体側に固定され、巻き取りドラムを軸承する左右一対の支持ブラケットと、前記一対の支持ブラケット前方部位の上部および下部の対向間に支架される上下一対の枠体と、これら枠体を介して配設される前面板および上下面板とを備えて構成するにあたり、少なくとも前面板と下面板とを、押し出し型材で形成される左右方向に長い長板材で構成し、前記長板材の長尺方向に沿う一方の縁部に、裏面側に折曲する折れ片を介して他方の縁部側に延出する先端側係止片を備えて、上枠体に形成される上方を向く突片に上側から外嵌して係止する先端側係止凹部と、前記折れ片から前記先端側係止片とは反対の方向に延出して、下枠体に形成される嵌合凹部に内嵌する延出片とが形成される一方、長板材の長尺方向に沿う他方の縁部に、長板材の裏面と所定間隙を存して形成される基端側係止片を備えて、下枠体に形成された受け片に上側から外嵌して係止する基端側係止凹部が形成されていることを特徴とする建築用シャッター装置である。
請求項２の発明は、基端側係止凹部は、長板材の一方の縁部に形成される延出片に上側から外嵌して係止可能に形成されるものとし、面板は、複数の長板材を板幅方向に連結して構成されている請求項１に記載の建築用シャッター装置である。
請求項３の発明は、延出片は、長板材の表面側に折り返される折り返し片が一体形成されたものとし、下枠体の嵌合凹部の開口端には、折り返し片に係止可能な係止受け片が形成され、長板材は、折り返し片と係止受け片との係止部を揺動支点として下枠体に対して下方揺動自在に構成されている請求項１または２に記載の建築用シャッター装置である。
請求項４の発明は、シャッターケースの長尺方向少なくとも一箇所には、上下枠体を連結して開口部上方に配されるまぐさ部材に支持させる第一ジョイント部材が設けられている請求項１乃至３の何れか一項に記載の建築用シャッター装置である。
請求項５の発明は、シャッターケースの長尺方向少なくとも一箇所には、上枠体を躯体側に支持させる第二ジョイント部材が設けられている請求項１乃至４の何れか一項に記載の建築用シャッター装置である。
請求項６の発明は、シャッターケースの長尺方向少なくとも一箇所には、下枠体を前面板に支持させる第三ジョイント部材が設けられている請求項１乃至５の何れか一項に記載の建築用シャッター装置である。
請求項７の発明は、下面板は、下枠体に連結する長板材の一部を切り欠いた点検口が形成され、該点検口は、下枠体との連結部を支点として下方揺動自在に構成されている請求項３乃至６の何れか一項に記載の建築用シャッター装置である。
【発明の効果】
【０００６】
請求項１の発明とすることにより、雨仕舞いがよく、面板を作業性よく組み込むことが可能となって、設置作業の簡略化、および、作業時間の短縮化を図ることができる。
請求項２の発明とすることにより、上下枠体に組み込むために形成された長手方向一対の縁部をそのまま用いて長板材同士を連結することができるうえ、連結部材が外部に露出することがなく意匠性に優れる。
請求項３の発明とすることにより、下面板の組み込み作業を一層容易に行うことができる。
請求項４の発明とすることにより、シャッターケースの撓みを防止できて、面板と上下枠体とのあいだに隙間ができるような不具合をなくすことができる。
請求項５の発明とすることにより、上枠体の下方への撓みを一層低減できる。
請求項６の発明とすることにより、下枠体の下方への撓みを一層低減できる。
請求項７の発明とすることにより、部品点数の削減を図ることができるうえ、意匠性に優れた点検口を構成することができる。
【発明を実施するための最良の形態】
【０００７】
つぎに、本発明の実施の形態について、図面に基づいて説明する。
図面において、１は車庫の出入り口部に設けられた建築用のシャッター装置であって、該シャッター装置１を構成するシャッターカーテン２は、開口部上方に配設されたシャッターケース３に回転自在に内装された巻き取りドラム４に巻装されている。前記巻き取りドラム４は、シャッターケース３に収納された開閉機５に連動連結されており、該開閉機５の正逆回転駆動に連動して正逆回転することに伴い、シャッターカーテン２の巻き出し、巻き取りを行うように構成されている。これによって、シャッターカーテン２は、両側縁部が開口部両側に立設されたガイドレール６の移動案内を受ける状態で開口部を上下動し、シャッターカーテン２が開口部に繰り出されて開口部を閉鎖する全閉姿勢と、シャッターカーテン２がシャッターケース３に収容されて開口部を開放する全開姿勢とのあいだを姿勢変姿するように設定されているが、これらの基本構成は従来通りとなっている。
【０００８】
さて、前記シャッターケース３は、後側部位が開口部上方の躯体に一体的に固定されるように構成されており、巻き取りドラム４を構成する巻き取り軸４ａの左右方向両端部を回転自在に軸承する左右一対の支持ブラケット７、８を備えて構成されている。
前記各支持ブラケット７、８は、上下、および、前後となる四周に開口部側に向けて折曲する折曲片７ａ、７ｂ、７ｃ、７ｄ、８ａ、８ｂ、８ｃ、８ｄが形成されており、後縁部に形成された折曲片７ｄ、８ｄがそれぞれ躯体に一体的に固定されている。さらに、各支持ブラケット７、８の前縁部には、上下部位に位置して上、下の枠支持体９、１０が一体的に設けられている。前記上枠支持体９はＬ字形に折曲される一対の脚片９ａ、９ｂと、これら脚片９ａ、９ｂの一方の側部を一体化する支持片９ｃとを備えて構成されており、該支持片９ｃを各支持ブラケット７、８のプレート面に突き当てるとともに、上下方向を向く一方の脚片９ａの上端縁を各支持ブラケット７、８の上側折曲片７ａ、８ａに近接させ、前後方向を向く他方の脚片９ｂの前端縁を各支持ブラケット７、８の前側折曲片７ｃ、８ｃに当接させる状態で一体的に固定されている。一方、下枠支持体１０は、Ｌ字形に折曲される一対の脚片１０ａ、１０ｂと、これら脚片１０ａ、１０ｂの一方の側部を一体化する支持片１０ｃとを備えて構成されており、該支持片１０ｃを各支持ブラケット７、８のプレート面に突き当て、上下方向を向く一方の脚片１０ａの下端縁を各支持ブラケット７、８の下側折曲片７ｂ、８ｂに近接させ、前後方向を向く他方の脚片１０ｂの前端縁を各支持ブラケット７、８の前側折曲片７ｃ、８ｃに当接させる状態で一体的に固定されている。そして、これら左右に配される上枠支持体９に上枠体１１の左右両端部が固定され、下枠支持体１０に下枠体１２の左右両端部が固定されることにより、一対の支持ブラケット７、８の対向間に上下の枠体１１、１２が支架されるように構成されている。
【０００９】
前記上下枠体１１、１２は、それぞれアルミ押出し型材により押し出し成形された長尺体で構成されている。そして、上枠体１１は、図３（Ａ）に示すように、角筒状に押し出し成形されており、後面１１ａと下面１１ｂとを左右一対の上枠支持体９の両脚片９ａ、９ｂに突き当て、後面１１ａと下面１１ｂとにそれぞれ形成されたビスポケット１１ｃに予め配設されたボルト１１ｄを用いて緊締することにより、上枠体１１が左右一対の上枠支持体９の両脚片９ａ、９ｂにそれぞれ固定支持されている。さらに、上枠体１１の前面１１ｅには、下部に位置して前方に突出する段差部１１ｆが形成され、該段差部１１ｆから上方に突出する上向き突片（本発明の突片に相当する）１１ｇが形成されており、該上向き突片１１ｇと前面１１ｅとのあいだには所定間隙Ｓ１が形成されている。また、段差部１１ｆの前端縁からは下方に向けて突出する下向き突片１１ｈが形成されており、該下向突片１１ｈは、段差部１１ｆを介して上側部位よりも前方に突出する下側前面１１ｉとのあいだに所定間隙が形成されるように設定されている。尚、前記下向き突片１１ｈは、支持ブラケット７、８の前側折曲片７ｃ、８ｃよりも後方に退避する位置関係となるように形成されている。また、上枠体１１の上面１１ｊは前方ほど傾斜して形成されており、支持ブラケット７、８の上側折曲片７ａ、８ａと面一状に形成されている。そして、前記上枠体上面１１ｊの前端縁からは、前面１１ｅに形成される下向き突片１１ｈより前方に延出して、雨水を上枠体１１の前方に誘導する誘導片１１ｋが形成されている。
【００１０】
これに対し、下枠体１２は、図３（Ｂ）に示すように、角筒状に押し出し成形されており、後面１２ａと上面１２ｂとを左右一対の下枠支持体１０の両脚片１０ａ、１０ｂにそれぞれ突き当て、後面１２ａと上面１２ｂとにそれぞれ形成されたビスポケット１２ｃに予め配設されたボルト１２ｄを用いてそれぞれ緊締されている。さらに、下枠体１２の前面１２ｅには、下部に位置して前方に突出する段差部１２ｆが形成され、該段差部１２ｆには、上端部が上部前方に傾斜状に突出する受け片１２ｇが形成されており、該受け片１２ｇ基端部と前面１２ｅとのあいだに所定間隙Ｓ２を存するように設定されている。また、段差部１２ｆの前端縁からは前記前面１２ｅより前方に位置する突出前面１２ｈが形成されるが、該突出前面１２ｈは、前記上枠体１１の下向き突片１１ｈに対し、後述する第一、第二長板材１６、１７の板厚分だけ前方に突出しており、支持ブラケット７、８の前側折曲片７ｃ、８ｃよりも後方に退避する位置関係となるように形成されている。さらに、下枠体１２を構成する下面１２ｉには、後面１２ａとのコーナー部に位置して、後方が開口し、下面１２ｉを溝側片とする嵌合凹部１２ｊが形成されており、該嵌合凹部１２ｊの下側溝側片（下面）１２ｉの開口側には、上方に突出する係止受け片１２ｋが形成されている。尚、下面１２ｉは、支持ブラケット７、８の下側折曲片７ｂ、８ｂの下面よりも上位となる位置関係で形成されている。
【００１１】
そして、左右一対の支持ブラケット７、８の前縁部と上下縁部との対向間に、前記上下の枠体１１、１２を介して前面板１３、上下面板１４、１５を一体的に設けることでシャッターケース３が構成されるが、本実施の形態では、前面板１３と下面板１５とは、アルミ押出し型材によりそれぞれ押し出し成形された、板幅の異なる二種類の長尺体である第一、第二長板材１６、１７を用いて構成されている。
前記第一、第二長板材１６、１７を、図３（Ｃ）、（Ｄ）の図面に基づいて説明する。これら第一、第二長板材１６、１７は、長尺方向（左右方向）の長さが同一で、板幅方向の長さが異なる第一、第二面板部１６ａ、１７ａを備えて構成され、第一長板材１６の第一面板部１６ａの板幅が第二面板部１７ａの板幅よりも長く形成されている。そして、第一、第二長板材１６、１７の長手方向に沿う一対の端縁部（上下方向（前後方向）一対の端縁部）は、同様の形状に形成されている。つまり、前記各第一、第二長板材１６、１７の各第一、第二面板部１６ａ、１７ａの長手方向に沿う一方の縁部である先端側縁部（上側、前側の縁部）には、裏面側に折曲する第一、第二折れ片１６ｂ、１７ｂを介して第一、第二長板材１６、１７の他方の縁部側（後方、上方）に向けて折り返された第一、第二先端側係止片１６ｃ、１７ｃが他部位よりも板厚の厚い状態で形成され、前面板１６ａ、１７ａとともに下方が開口する第一、第二先端側係止凹部１６ｄ、１７ｄを形成している。さらに、第一、第二面板部１６ａ、１７ａの一方の縁部には、前記第一、第二折れ片１６ｂ、１７ｂを介し、前記第一、第二先端側係止片１６ｃ、１７ｃとは反対の方向である上方（前方）に向けて突出する第一、第二延出片１６ｅ、１７ｅが形成されている。そして、前記第一、第二延出片１６ｅ、１７ｅは、第一、第二長板材１６、１７の表面（前方、下方）側に向けて折り返された第一、第二折り返し片１６ｆ、１７ｆがそれぞれ一体形成されているが、これら第一、第二折り返し片１６ｆ、１７ｆの表側面（前面、下面）は、第一、第二面板部１６ａ、１７ａに対し、該第一、第二面板部１６ａ、１７ａの板厚分だけ裏面側（後方、上方）に退避して設けられている。尚、１６ｇ、１７ｇは、第一、第二面板部１６ａ、１７ａ上端部と第一、第二折れ片１６ｂ、１７ｂとのあいだに形成された第一、第二段差部であって、これら第一、第二段差部１６ｇ、１７ｇは、第一、第二面板部１６ａ、１７ａの板厚相当分の段差に設定されている。さらに、１６ｈ、１７ｈは、板厚の厚い第一、第二先端側係止片１６ｃ、１７ｃの上部裏面側部位（上部後方、前部上方）に、第一、第二延出片１６ｅ、１７ｅの裏面（後面、上面）に沿って切り欠かれた肩部であり、これら肩部１６ｈ、１７ｈは、面板部１６ａ、１７ａの板厚に相当する段差に形成されている。
【００１２】
一方、前記第一、第二長板材１６、１７において、各第一、第二面板部１６ａ、１７ａの長手方向に沿う他方の縁部である基端側縁部（下側、後側縁部）には、第一、第二面板部１６ａ、１７ａを一方の溝側片とし、これら第一、第二面板部１６ａ、１７ａの裏面側（後方、上方）に所定間隙を存して一体形成される第一、第二基端側係止片１６ｉ、１７ｉを他方の溝側片とし、下方（後方）が開口する第一、第二基端側係止凹部１６ｊ、１７ｊが形成されている。ここで、前記第一、第二基端側係止凹部１６ｊ、１７ｊの溝幅は、他方の端縁部に形成された第一、第二折り返し片１６ｆ、１７ｆを備えた第一、第二延出片１６ｅ、１７ｅをそれぞれ外嵌できる大きさに設定されており、下枠体１２に形成された嵌合凹部１２ｊの溝幅と同様に寸法設定されている。
【００１３】
そして、前面板１３は、左右方向に長い三枚の第一長板材１６を上下方向に連結することで構成されており、この場合に、上下方向に隣接する第一長板材１６同士は、上側の第一長板材１６の下縁部に形成される第一基端側係止凹部１６ｊに、下側に隣接する第一長板材１６の上縁部に形成される第一延出片１６ｅを内嵌させ、第一基端側係止凹部１６ｊの後方の溝側片である第一基端側係止片１６ｉ側から螺入したビス１８を第一延出片１６ｅに螺合することで一体的な止着（連結）がなされており、前記止着部は第一長板材１６の長尺方向適箇所においてなされている。
この連結状態において、各第一長板材１６同士は、上側に位置する第一基端側係止凹部１６ｊの溝底片が下側に位置する第一折り返し片１６ｆの上端部に突き当てられ、上側に位置する第一面板部１６ａの下端が下側に位置する第一面板部１６ａの上端に形成された第一段差部１６ｇに突き当てられ（近接し）、上側に位置する第一基端側係止片１６ｉの下端が下側に位置する第一下向き突片１６ｃの上端に形成された第一肩部１６ｈに突き当てられており、第一面板部１６ａ同士が面一状となって連結するように設定されている。さらに、前記連結状態において、上側に位置する第一基端側係止片１６ｉと下側に位置する第一延出片１６ｅとが上下方向に長く当接しており、上側に位置する第一面板部１６ａの裏面（後面）に第一折り返し片１６ｆの前面（表面）が対向することにより、隣接する第一長板材面板部１６ａ同士の面一状態での位置決めが確実になされるように構成されている。
【００１４】
一方、下面板１５は、板幅の長い二枚の第一長板材１６と、これらのあいだに配される板幅の短い第二長板材１７とを前後方向に連結することで構成されている。尚、シャッターケース３を構成する面板は、その大きさに応じて第一、第二長板材１６、１７を適宜組み合わせることにより、板幅方向の長さを調整することができ、これによって、第一、第二長板材１６、１７を用いることにより、形状の異なるシャッターケースを構成することができるようにしている。
前記下面板１５は、前側に隣接する第一、第二長板材１６、１７同士の第一、第二基端側係止凹部１６ｊ、１７ｊに、後側に隣接する第二、第一延出片１７ｅ、１６ｅを内嵌させ、第一、第二基端側係止片１６ｉ、１７ｉの上面側から螺入したビス１８を、第二、第一延出片１７ｅ、１６ｅに螺合することで一体的な止着（連結）がなされるように設定されており、前記止着部は第一、第二長板材１６、１７の長尺方向適箇所においてなされている。
さらに、前記第一、第二長板材１６、１７同士の連結状態において、前側に位置する第一、第二基端側係止凹部１６ｊ、１７ｊの溝底片が後側に位置する第二、第一折り返し片１７ｆ、１６ｆの前端部に突き当てられ（近接し）、前側に位置する第一、第二面板部１６ａ、１７ａの後端が後側に位置する第二、第一面板部１７ａ、１６ａの前端に形成された第二、第一段差部１７ｇ、１６ｇに突き当てられ、前側に位置する第一、第二基端側係止片１６ｉ、１７ｉの後端が後側に位置する第二、第一先端側係止片１７ｃ、１６ｃの前端に形成された第一肩部１７ｈ、１６ｈに突き当てられており、第一、第二面板部１６ａ、１７ａ同士が面一状となって連結するように設定されている。また、前記連結状態において、前側に位置する第一、第二基端側係止片１６ｉ、１７ｉと後側に位置する第二、第一延出片１７ｅ、１６ｅとが前後方向に長く当接し、前側に位置する第一、第二面板面１６ａ、１７ａの後面に第二、第一折り返し片１７ｆ、１６ｆが対向することにより、隣接する第一、第二長板材面板部１６ａ、１７ａ同士の面一状態での位置決めが確実になされることは、前記前面板１３における第一長板材１６同士の連結と同様の構成である。
【００１５】
このように連結された前面板１３は、上下枠体１１、１２に支持される状態で組み込まれるが、前面板１３は、図７の実線で示すように、上下枠体１１、１２の前方に対向させる状態から組み込むことができるように構成されている。
つまり、前面板１３を、上下枠体１１、１２の前方に対向せしめ、前面板１３の上端となる第一長板材１６の第一先端側係止凹部１６ｄを、上枠体１１に形成される上向き突片１１ｇの上方に、下端となる第一長板材１６の第一基端側係止凹部１６ｊを、下枠体１２に形成される受け片１２ｇの上方に対向させた状態とする。続いて、上側の第一面板部１６ａの裏面を上枠体１１の下向き突片１１ｈに突き当て、下側の第一基端側係止片１６ｉを下枠体１２の前面１２ｅに突き当てた状態とする（二点鎖線で示す）。そして、前記状態から、前面板１３を前記突き当て部に沿って下方に変位させることにより、第一先端側係止片１６ｃと上枠体上向き突片１１ｇとが係止し、第一基端側係止片１６ｉが下枠体受け片１２ｇに係止した状態となって、前面板１３が上下枠体１１、１２に対し、前方への倒れ止めがなされた状態で仮保持状に組み込まれ、かつ、各第一長板材１６の面一状の面板部１６ａと、下枠体１２の突出前面１２ｈとが面一状に組み込まれるように構成されている。
ここで、下枠体１２の突片１２ｇと前面１２ｅとのあいだの所定間隙Ｓ２は、上枠体１１の突片１１ｇと前面１１ｅとのあいだの所定間隙Ｓ１よりも狭く、かつ、第一長板材１６の第一基端側係止片１６ｉが嵌入できる大きさに設定されている。これによって、前面板１３を上下枠体１１、１２に組み込む際の組み込み作業を容易にするとともに、組み込んだ状態で前面板１３が上下枠体１１、１２に対してガタつくことを防止できるようにしている。
【００１６】
これに対し、下面板１５は、下枠体１２と、躯体開口部における上部に、支架固定されたまぐさ部材１９とのあいだに組み込まれるが、下面板１５は、図７に示すように、前縁部を下枠体１２に枢支させ、該枢支部を介して上方揺動させるようにして組み込まれるように設定されている。
つまり、下面板１５は、前縁（前方）部位を上方に向ける傾斜姿勢とし、前端縁となる第一長板材１６の第一延出片１６ｅを、下枠体１２に形成される嵌合凹部１２ｊに内嵌せしめ、第一延出片１６ｅに形成された第一折り返し片１６ｆの先端部を嵌合凹部１２ｊの開口端に形成された係止受け片１２ｋに係止させることにより、下面板１５の前縁部を下枠体１２に仮保持させ、かつ、後方に抜け出すことがない（抜け止め）状態で組み込む（図７の一点鎖線）。この状態から、前記第一折り返し片１６ｆと係止受け片１２ｋとの係止部を揺動支点（枢支部）として後端側となる部位を上方揺動せしめ、後端縁となる第一長板材１６の第一基端側係止片１６ｉを、まぐさ部材１９の下面に突き当てる。この状態において、前端側の第一延出片１６ｅは、下枠体１２の嵌合凹部１２ｊの溝底片１２ｍに達しておらず、下面板１５を、第一基端側係止片１６ｉが突き当てられているまぐさ部材１９の下面１９ａに沿って前方に変位させ、第一段差部１６ｇを下枠体下面１２ｉの後端面に突き当てた状態として、かつ、第一延出片１６ｅを嵌合凹部１２ｊの溝底片１２ｍに近付けた状態（当接させた状態としてもよい）とし、第一基端側係止片１６ｉをまぐさ部材下面１９ａにビス１８を用いて螺合することにより、下面板１５が組み込まれるように構成されており、このとき、面一状に配される第一、第二長板材１６、１７の面板部１６ａ、１７ａと下枠体１２の下面１２ｉとが面一状となっている。
尚、上面板１４は、本実施の形態では、従来通りの金属製板材を適宜裁断したものが用いられており、上枠体１１と、左右の支持ブラケット７、８の後部における上部対向間に配された側面視Ｃ形状の補強材２０とのあいだに一体的に設けられているが、上面板１４を、前面板１３や下面板１５のように、第一、第二長板材１６、１７を用いて構成することも勿論可能である。
【００１７】
そして、前記車庫の開口部は、左右方向幅広に構成されているため、シャッターカーテン２は左右幅が長いものに形成されている。このため、シャッターケース３の左右長さも長く形成されており、長手方向中間部（左右方向中間部）において、下方に向けて撓みが生じる惧れがあり、そこで、本実施の形態のシャッターケース３は、第一、第二、第三ジョイント部材２１、２２、２３を取り付けることにより撓み防止がなされている。
このものでは、開口部上方の躯体に、左右の支持ブラケット７、８、上下枠体１１、１２、まぐさ部材１９、さらには、補強材２０を組み込んで、シャッターケース３の骨組みを組み立て、該骨組みに対し、前面板１３と上下面板１４、１５を組み込むことでシャッターケース３が構成されるが、第一、第二ジョイント部材２１、２２は、前記骨組みに対して前面板１３と上下面板１４、１５とを組み込む以前の段階で取り付けられるように設定されている。
【００１８】
前記第一ジョイント部材２１は、本実施の形態では、シャッターケース３の長手方向中央部に位置して一つだけ設けられており、上下枠体１１、１２とを連結し、さらに、まぐさ部材１９を連結することにより、上下枠体１１、１２をまぐさ部材１９に支持させるように構成されている。そして、第一ジョイント部材２１は、前面板１３に沿う上下方向を向く前側片２１ａと、下面板１５に沿う前後（水平）方向を向く下側片２１ｂとを備えて構成されている。前記前、下側片２１ａ、２１ｂの左右方向両側縁部には、それぞれシャッターケース３内側に突出する前、下リブ片２１ｃ、２１ｄがそれぞれ一体形成されており第一ジョイント部材２１の補強をするように設定されている。
前記前リブ片２１ｃの上端には、上枠体１１の下面１１ｂに突き当てられるべく左右に突出する一対の上枠取り付け片２１ｅが形成されており、該上枠取り付け片２１ｅは、上枠体下面１１ｂに形成されたビスポケット１１ｃに予め嵌合されたボルト１１ｄを用いて、上枠体下面１１ｂに緊締されるように設定されている。また、前側片２１ａの下部と、下側片２１ｂの前部とのあいだには、左右一対の前リブ片２１ｃと下リブ片２１ｄとをそれぞれ連結するようにして、左右一対の下枠固定片２１ｆが形成されており、これら下枠固定片２１ｆの前縁部から左右に突出する下枠取り付け片２１ｇがそれぞれ形成されており、該下枠取り付け片２１ｇは、下枠体後面１２ａに形成されたビスポケット１２ｃに予め嵌合されたボルト１２ｄを用いて下枠体後面１２ａに緊締されるように設定されている。
さらに、下側片２１ｂの後端部には、躯体側に固定されるまぐさ部材１９の角パイプ材の前面１９ｂに突き当てられるまぐさ固定片２１ｈが上下方向を向いてそれぞれ形成されており、該まぐさ固定片２１ｈの左右両端縁部から左右に向けてまぐさ取り付け片２１ｉがそれぞれ形成されており、これらまぐさ取り付け片２１ｉが固定螺子２１ｊを用いてまぐさ部材前面１９ｂに緊締されるように設定されている。これによって、第一ジョイント部材２１は、上枠体１１と下枠体１２とを一体的に連結するとともに、これらをまぐさ部材１９に支持せしめることにより、上下枠体１１、１２の左右方向中間部がまぐさ部材１９に支持されて撓み防止がなされるように構成されている。ここで、まぐさ部材１９は、スチール製であって上下枠体１１、１２よりも剛性が高く強固な構成となっている。
【００１９】
さらに、第一ジョイント部材２１は、前側片２１ａの前面板１３側の面に、上方に向けて突出する前面板用係止爪２１ｋが形成されており、前面板１３を上下枠体１１、１２に仮保持状に組み込むべく、前面板１３を下方変位させることにより、下端側の第一長板材１６に形成された第一先端側係止片１６ｃが、前記前面板用係止爪２１ｋに係止するように設定されている。これによって、第一ジョイント部材２１は、上下枠体１１、１２に、下方への撓みの少ない前面板１３を一体化させ、これをまぐさ部材１９に支持せしめることにより、上下枠体１１、１２の撓みを一層低減するとともに、前面板１３をまぐさ部材１９に支持させるように構成されている。
一方、第一ジョイント部材２１は、下側片２１ｂの下面板１５側の面に、後方に向けて突出する下面板用係止爪２１ｍが形成されており、下面板１５を下枠体１２とまぐさ部材１９とに組み込むべく揺動した後、下面板１５を前方変位させることにより、第二長板材１７の後端側に設けられた第二基端側係止片１７ｉに前方に突出するよう延設された係止片１７ｋが、前記下面板用係止爪２１ｍに係止するように設定されている。これによって、第一ジョイント部材２１は、上下枠体１１、１２とともに下面板１５を一体化させ、これをまぐさ部材１９に支持せしめることにより、下面板１５の左右方向中間部におけるまぐさ部材１９への支持がなされ、シャッターケース３全体としての撓みを防止を図るように構成されている。
【００２０】
さらに、このものでは、骨組みに対し第二ジョイント部材２２が予め取り付けられるが、前記第二ジョイント部材２２は、本実施の形態では、第一ジョイント部材２１の配設位置の左右にそれぞれ一つ設けられており、該第二ジョイント部材２２が上枠体１２と補強材２０とを連結することにより、上枠体１２が左右方向中間部において複数箇所に亘って躯体側に支持されるように構成されている。
前記第二ジョイント部材２２は、上面板１４に沿う前後方向を向く上側片２２ａの前端部に、上枠体１２の後面１１ａに突き当てられる上枠取り付け片２２ｂが形成されており、該上枠取り付け片２２ｂが、上枠体後面１１ａに形成されたビスポケット１１ｃに予め嵌合されたボルト１１ｄを用いて上枠体後面１１ａに緊締されている。また、上側片２２ａの後端部に、補強材２０に外嵌状に保持する保持片２２ｃが形成されており、これによって、第二ジョイント部材２２は、上枠体１１と躯体側の部材である補強材２０とを連結することにより、第一ジョイント部材２１により下枠体１２、前面板１３、下面板１５、まぐさ部材１９とが一体化された上枠体１１の長手方向中間部を躯体側に支持させ、もって、上、下枠体１１、１２の下方への撓みを低減するように構成されている。尚、２２ｄは、上側片２２ａの左右両端縁部に設けられた補強リブである。
【００２１】
そして、このように骨組みに、第一、第二ジョイント部材２１、２２を取り付けた状態で、前面板１３と、下面板１５とを組み込んだ後、第三ジョイント部材２３を長尺方向複数箇所に取り付けるように構成されており、第三ジョイント部材２３により下枠体１１と前面板１３とを連結することにより、上下方向に長い下枠体１１を、上下方向の撓みに対する強度が大きい前面板１３に長手方向複数箇所において支持させ、もって、下枠体１１の撓みを防止するように設定されている。
つまり、下枠体１２には、長尺方向複数の適宜箇所に取り付け支持片２４が組み込まれている。前記支持片２４は、下枠体１２の上面１２ｂに形成されたビスポケット１２ｂに予め嵌合されたボルト１２ｄにより下枠体上面１２ｂに緊締されており、上方に突出する支持片２４ａの先端縁部に後方に向けて延出する取り付け片２４ｂが形成されている。そして、第三ジョイント部材２３は、前記取り付け片２４ｂに螺子２３ａを用いて固定されるベースプレート２３ｂと、該ベースプレート２３ｂの前縁部から上方に延出し、前面板１３の下側に位置する第一長板材１６同士の連結部に後方から突き当てられる支持片２３ｃとを備えて構成され、該支持片２３ｃを、ビス２３ｄを用いて第一基端側係止片１６ｉと第一延出片１６ｅ、第一先端側係止片１６ｃとにそれぞれ螺着することにより、第三ジョイント部材２３が下枠体１２と前面板１３とを連結し、これによって、下方への撓みに対する強度が高い前面板１３が下枠体１２を、長尺方向複数箇所において支持して下枠体１２の下方への撓みを低減するように設定され、シャッターケース３を正面視したとき、前面板１３と下枠体１２との連結部となる第一長板材面板部１６ａの下端縁と下枠体突出前面１２ｈの上端縁とのあいだに隙間が形成され、意匠性が劣るような不具合を防止できるように構成されている。
【００２２】
さらに、本実施の形態の下面板１５の右前方部位には、シャッターケース３内を臨むための点検用扉２５が開閉自在に設けられるが、該点検用扉２５は、下面板１５を構成する下枠体１２に連結される第一長板材１６の一部に点検口として切り欠き部１５ａを形成し、該切り欠かれた第一長板材１６をそのまま点検用扉２５として用いる構成となっており、点検用扉２５が特別目立つことがなく下面板１５の一部のような外観となって、意匠性が優れるように配慮されている。前記第一長板材１６から切り欠かれた点検用扉２５は、第一基端側係止片１６ｉを取り除かれ、切り欠き部１５ａに対向する第二長板材１７は、第二延出片１７ｅの一部が切り欠かれており、これによって、点検用扉２５が開放揺動可能となるようにしている。そして、点検用扉２５は、第一長板材１６の延出片１６ｅに相当する延出片２５ａを、下枠体１２の嵌合凹部１２ｊから後方に変位させ、第一長板材１６の折り返し片１６ｆに相当する折り返し片２５ｂを下枠体係止受け片１２ｋに係止して抜止め状とした状態とすることにより、前記係止部を揺動支点として点検用扉２５の後縁部側が下方揺動して点検口を開放するように設定されている。また、前記開放状態からは、点検用扉２５を上方揺動して、点検用扉２５の面板部２５ｃの後縁部を第二面板１７の面板部１７ａに突き当て、前方に押しやる（変位させる）ことにより、面板部２５ｃの後縁部を第二段差部１７ｇに落ち込ませることで、点検口の閉鎖がなされるように設定されている。
【００２３】
そして、２６は、下面板１５の切り欠き部１５ａ形成部位に配された抜け止め体であって、該抜け止め体２６は、下枠体１２の後面１２ａにビスポケット１２ｃに嵌合されたボルト１２ｄを用いて下枠体１２に一体化されており、後方に突出する規制突片２６ａが、点検用扉２５を開放するべく下方揺動するとき下枠体係止受け片１２ｋに係止する折り返し片２５ｂに干渉し、折り返し片２５ｂが上方変位するのを規制して下枠体係止受け片１２ｋとの係止解除を防止するように設定されている。因みに、規制突片２６ａの突出長さは、点検用扉２５の延出片２５ａを下枠体嵌合凹部１２ｊに押し込んで点検用扉２５が閉鎖された（折り返し片２５ｂが嵌合凹部１２ｊに溝底片１２ｍ側に近接する）状態において、延出片２５ａの後端側に形成される第一長板材１６の肩部１６ｈに相当する肩部２５ｄに当接する長さに設定されており、嵌合凹部１２ｊを構成する下面１２ｉの後端位置と同位置となるように設定されている。
尚、２５ｅは点検用扉２５に設けられた施錠具、２５ｆは下面板１５の第二長板材１７部位に配された施錠受け金具であり、施錠具２５ｅは、回転操作することにより施錠受け金具２５ｆとの係脱をするように設定されている。
【００２４】
尚、シャッターケース３は、前記骨組みに対し、第一、第二ジョイント部材２１、２２、前面板１３、下面板１５、そして、第三ジョイント部材２３を組み込んだものに対し、上面板１４を組み込みんだ後、一対の支持ブラケット７、８の外側から、それぞれ左右一対の側部面板２６を外嵌状に嵌着することで構成されている。
【００２５】
叙述の如く構成された本形態において、シャッターケース３は、左右一対の支持ブラケット７、８の対向間に支架される上下枠体１１、１２および補強材２０、そして、まぐさ部材１９とを骨組みとし、該骨組みに対して前面板１３と上下面板１４、１５とをそれぞれ組み込むことにより構成されるが、前面板１３と下面板１５とは、押出し型材で形成された第一、第二長板材１６、１７を用いて構成されており、前面板１３は、第一長板材１６の一方の縁部に形成される第一先端側係止凹部１６ｄを上枠体上向き突片１１ｇに上側から外嵌させ、他方の縁部に形成された第一基端側係止凹部１６ｊを下枠体受け片１２ｇに上側から外嵌させることにより上下枠体１１、１２に組み込むことができる。また、下面板１５は、一方の縁部に形成される第一延出片１６ｅを、下枠体嵌合凹部１２ｊに後方から内嵌させることで組み込むことができる。これによって、前面板１３と下面板１５とを左右方向に長い押出し型材を用いて構成したものでありながら、横方向からスライドして組み込むのではなく、上下枠体１１、１２に対して前方、あるいは、下方から組み込むことができて、組み込みスペースが小さな場所であっても設置が可能となり、しかも、作業性よく組み込むことが可能となる。しかも、前面板１３については、第一先端側係止凹部１６ｄと第一基端側係止凹部１６ｊとを、上枠体上向突片１１ｇと下枠体受け片１２ｇとに上側から外嵌させるので雨仕舞いが優れるうえ、前面板１３を外嵌させた状態で仮保持状に組み込まれるので、表面材１３を押さえることなく一体固定する作業をすることができて、作業性が向上する。また、下面板１５についても前縁部が保持された状態となるので、一体固定を作業性よく行うことができ、設置作業の簡略化、および、作業時間の短縮化を図ることが可能となる。
【００２６】
さらに、このものでは、前面板１３と下面板１５とを、複数枚の第一、第二長板材１６、１７を板幅方向に連結する構成としているが、長板材１６、１７同士は、各長板材１６、１７に形成される上側に位置する長板材１６または１７の下側係止凹部１６ｄ、１７ｄを、下側に位置する長板材１６または１７の延出片１６ｆ、１７ｆに外嵌させ、該外嵌部において面板部１６ａ、１７ａの裏面側からビス１８を螺合することにより連結されるので、上下枠体１１、１２に組み込むために形成された長手方向一対の縁部を、そのまま用いて連結することができるうえ、一体化するためのビス１８が表面側に露出することがなく意匠性の優れたものにすることができる。
【００２７】
しかも、このものでは、下面板１５を下枠体１２とまぐさ部材１９とのあいだに組み込む場合に、第一延出片１６ｅを嵌合凹部１２ｊに内嵌させ、かつ、第一折り返し片１６ｆを嵌合凹部１２ｊの開口端に形成された係止受け片１２ｋに係止することで、前記前縁部が仮保持されるとともに、下面板１５を後方に抜け止めされた状態で前記係止部を揺動支点として上方揺動させることができ、下面板１５の組み込み作業を一層容易に行うことができる。
【００２８】
また、このものにおいて、上下枠体１１、１２を躯体側に支持する第一ジョイント部材２１が設けられているので、シャッターケース３を左右方向に長い形状にしても上下枠体１１、１２が下方に撓むことを防止することができる。そのうえ、第一ジョイント部材２１は、上下枠体１１、１２を連結するばかりでなく、前面板１３、下面板１５にも一体化されているため、シャッターケース３全体としての撓みを防止できて、下枠体１２が大きく撓んで、前面板１３とのあいだに隙間ができてしまうような不具合をなくすことができる。
【００２９】
そのうえ、このものでは、上枠体１１を躯体側に支持する第二ジョイント部材２２が設けられているので、上枠体１１の下方への撓みを一層低減することができる。
【００３０】
しかも、このものでは、下枠体１２を下方への撓みの少ない前面板１３に支持する第三ジョイント部材２３が設けられているので、下枠体１２の下方への撓みを一層低減することができる。
【００３１】
また、このものでは、下枠体１２に組み込まれた第一長板材１６を切り欠いて点検口を形成する構成として、該切り欠き部１５ａに点検用扉２５を設ける場合に、点検用扉２５を前記切り欠いた第一長板材１６で構成し、延出片２５ａを、下枠体１２の嵌合凹部１２ｊに嵌合させ、折り返し片２５ｂを下枠体係止受け片１２ｋに係止して抜止め状とした状態とすることにより、点検用扉２５を、丁番等の連結部材を別途用いることなく、下枠体１２に対して開閉揺動自在に配設することができ、部品点数の削減を図ることができるうえ、連結部材の取り付け部をなくすことができて意匠性に優れる。
【図面の簡単な説明】
【００３２】
【図１】建築用シャッター装置の全体斜視図である。
【図２】シャッターケースの分解斜視図である。
【図３】図３（Ａ）、（Ｂ）、（Ｃ）、（Ｄ）はそれぞれ上枠体の側面図、下枠体の側面図、第一長板材の側面図、第二長板材の側面図である。
【図４】図４（Ａ）、（Ｂ）はそれぞれ下枠体に部材を取り付けた状態の側面図、背面図である。
【図５】長板材の連結状態を説明する側面図である。
【図６】シャッターケースの要部を説明する側面断面図である。
【図７】上下枠体に体する前面板と下面板の組み込み状態を説明する側面図である。
【図８】シャッターケースの側面断面図である。
【図９】図９（Ａ）、（Ｂ）はそれぞれ第一ジョイント部材の正面図、側面図である。
【図１０】シャッターケースの側面断面図である。
【図１１】図１１（Ａ）、（Ｂ）、（Ｃ）、（Ｄ）はそれぞれ下面板の平面図、側面図、点検用扉の底面図、側面図である。
【図１２】シャッターケースの側面断面図である。
【符号の説明】
【００３３】
１    建築用のシャッター装置
２    シャッターカーテン
３    シャッターケース
７    支持ブラケット
１１    上枠体
１１ｇ    上向き突片
１２    下枠体
１２ｇ    受け片
１２ｊ    嵌合凹部
１３    前面板
１５    下面板
１６    第一長板材
１６ｃ    第一先端側係止片
１６ｅ    第一延出片
１６ｆ    第一折り返し片
１６ｊ    第一基端側係止凹部
１７    第二長板材
１８    ビス
１９    まぐさ部材
２０    補強材
２１    第一ジョイント
２３    第三ジョイント
２５    点検用扉
【図１】
0004781839.tif 000002
【図２】
0004781839.tif 000003
【図３】
0004781839.tif 000004
【図４】
0004781839.tif 000005
【図５】
0004781839.tif 000006
【図６】
0004781839.tif 000007
【図７】
0004781839.tif 000008
【図８】
0004781839.tif 000009
【図９】
0004781839.tif 000010
【図１０】
0004781839.tif 000011
【図１１】
0004781839.tif 000012
【図１２】
0004781839.tif 000013